(57)【要約】【課題】部品点数の削減が可能な電池モジュールを提供する。【解決手段】電池モジュール１は、複数の電槽Ｓを形成する複数の隔壁１１を有する配列体１０と、第１方向に沿って互いに積層された複数の正極２１及び負極２２を有し、電槽Ｓのそれぞれの中に配置された積層体２０と、正極２１及び負極２２の少なくとも一方に電気的に接続される複数の集電板３０と、を備え、正極２１及び負極２２は、第２方向における正極タブ２１ｃ及び負極タブ２２ｃの位置が互い違いになるように互いに積層されており、集電板３０は、隔壁１１に埋設された埋設部３１と、中心点Ｃよりも一方側において隔壁１１か突出する突出部３２と、を含み、隔壁１１は、第１隔壁１３と、第２隔壁１４と、を含み、第２隔壁１４の形状は、第３方向から見て中心点Ｃに対する点対称であり、第２隔壁１４は互い違いに配列されている。【選択図】図６
2018018773.tif 000002
【特許請求の範囲】
【請求項１】
第１方向に沿って配列されて複数の電槽を形成する複数の隔壁を有する配列体と、
前記第１方向に沿って互いに積層された複数の正極及び負極を有し、前記電槽のそれぞれの中に配置された複数の積層体と、
前記正極及び前記負極の少なくとも一方に電気的に接続される複数の集電板と、
を備え、
前記正極及び前記負極は、前記第１方向に交差する第２方向における一方側に設けられた電極タブを有し、前記第２方向における前記電極タブの位置が互い違いになるように交互に積層されており、
前記集電板は、前記隔壁に埋設された埋設部と、前記隔壁における前記第２方向の中心点よりも一方側において前記隔壁から突出する突出部と、を有し、
前記隔壁は、前記第１方向における前記配列体の両端に位置する一対の第１隔壁と、前記第１隔壁の間に配置される第２隔壁と、を含み、
前記第２隔壁の形状は、前記第１方向及び前記第２方向に交差する第３方向から見て、前記中心点に対する点対称であり、
前記第２隔壁は、前記第２方向における前記突出部の位置が前記電極タブの位置に対応するように互い違いになるように配列されている、
電池モジュール。
【請求項２】
前記第２隔壁は、前記第２方向に沿って延在し前記埋設部が埋設された本体部と、前記第２方向における前記本体部の一端部から前記第１方向の両側に延びる第１延在部と、前記第２方向における前記本体部の他端部から前記第１方向の両側に延びる第２延在部と、を含み、
前記第１隔壁は、前記本体部に対向するように前記第２方向に延在し前記埋設部が埋設された対向部と、前記第２方向における前記対向部の一端部から前記第１延在部及び前記第２延在部の一方に接続されるように前記第１方向に延びる第１接続部と、前記第２方向における前記対向部の他端部から前記第１延在部及び前記第２延在部の他方に接続されるように前記第１方向に延びる第２接続部と、を含む、
請求項１に記載の電池モジュール。
【請求項３】
前記第２隔壁は、前記第２方向に沿って延在し前記埋設部が埋設された本体部と、前記第２方向における前記本体部の一端部から前記第１方向に延びる第１延在部と、前記第２方向における前記本体部の他端部から前記第１方向と反対方向に延びる第２延在部と、を含み、
前記第１隔壁は、前記本体部に対向するように前記第２方向に延在し前記埋設部が埋設された対向部と、前記第２方向における前記対向部の一端部から前記本体部に接続されるように前記第１方向に延びる第１接続部と、を含み、
前記第２方向における前記対向部の他端部は、前記第１延在部及び前記第２延在部のうちの一方に接続される、
請求項１に記載の電池モジュール。
【発明の詳細な説明】
【技術分野】
【０００１】
本発明は、電池モジュールに関する。
【背景技術】
【０００２】
特許文献１には、電池モジュールが記載されている。この電池モジュールでは、一体電槽内が隔壁で仕切られることにより複数の収容部を構成するとともに収容体としての電槽が構成されている。各電槽内には、正極板と負極板とがセパレータを介して積層された極板群と、その両側に接合された集電板と、電解液とが収容されている。
【先行技術文献】
【特許文献】
【０００３】
【特許文献１】特開２０１２−１４６５３１号公報
【発明の概要】
【発明が解決しようとする課題】
【０００４】
上述のような電池モジュールでは、積層された極板群（積層体）を予め形成された電槽に挿入するための作業スペースを設けるために、それぞれの電槽を仕切る隔壁同士の間隔を十分に確保する必要がある。このような作業スペースは電池容量に寄与しないデッドスペースとなるので、電池モジュールの大型化の原因となる。そこで、隔壁及び積層体を交互に積層して隔壁同士を接合することにより、上記のようなデッドスペースを削減することが考えられる。しかしながら、そのような構造では、電槽の形状や隔壁における集電板の位置関係等に応じて多くの種類の隔壁が必要となるので、部品点数が増加するおそれがある。
【０００５】
本発明は、上記の事情に鑑みてなされたものであり、部品点数の削減が可能な電池モジュールを提供することを目的とする。
【課題を解決するための手段】
【０００６】
上記の課題を解決するために、本発明に係る電池モジュールは、第１方向に沿って配列されて複数の電槽を形成する複数の隔壁を有する配列体と、第１方向に沿って互いに積層された複数の正極及び負極を有し、電槽のそれぞれの中に配置された複数の積層体と、正極及び負極の少なくとも一方に電気的に接続される複数の集電板と、を備え、正極及び負極は、第１方向に交差する第２方向における一方側に設けられた電極タブを有し、第２方向における電極タブの位置が互い違いになるように交互に積層されており、集電板は、隔壁に埋設された埋設部と、隔壁における第２方向の中心点よりも一方側において隔壁から突出する突出部と、を有し、隔壁は、第１方向における配列体の両端に位置する一対の第１隔壁と、第１隔壁の間に配置される第２隔壁と、を含み、第２隔壁の形状は、第１方向及び前記第２方向に交差する第３方向から見て、中心点に対する点対称であり、第２隔壁は、第２方向における突出部の位置が電極タブの位置に対応するように互い違いになるように配列されている。
【０００７】
この電池モジュールでは、第１隔壁と第２隔壁とを含む隔壁を配列することによって、電極の積層体が配置される電槽が形成される。第１及び第２隔壁には、その配列方向（第１方向）に交差する第２方向の一方側において突出するように、集電板が埋設されている。そして、第２隔壁は、電極タブの位置に対応するように、第２方向における集電板の突出部の位置が互い違いになるように配列されている。一方で、第１方向及び第２方向に交差する第３方向から見た第２隔壁の形状は、第２方向における中心点に対する点対称である。これにより、中心点を軸として第２隔壁を１８０°回転させた場合、第３方向から見た第２隔壁の外形は変化せず、突出部の位置のみが第２方向の中心点よりも一方側から他方側へ移動した状態となる。したがって、上記のように集電板の突出部の位置を互い違いにするに際して、当該中心点を基準に第２隔壁を１８０°回転させながら配列すれば、１つの種類の第２隔壁によって、電槽を形成可能である。したがって、電池モジュールの部品点数を削減することが可能である。
【０００８】
本発明に係る電池モジュールでは、第２隔壁は、第２方向に沿って延在し埋設部が埋設された本体部と、第２方向における本体部の一端部から第１方向の両側に延びる第１延在部と、第２方向における本体部の他端部から第１方向の両側に延びる第２延在部と、を含み、第１隔壁は、本体部に対向するように第２方向に延在し埋設部が埋設された対向部と、第２方向における対向部の一端部から第１延在部及び第２延在部の一方に接続されるように第１方向に延びる第１接続部と、第２方向における対向部の他端部から第１延在部及び第２延在部の他方に接続されるように第１方向に延びる第２接続部と、を含む。このような構成によっても、一つの種類の第２隔壁によって電槽を形成可能である。したがって、電池モジュールの部品種類を削減することが可能である。
【０００９】
本発明に係る電池モジュールでは、第２隔壁は、第２方向に沿って延在し埋設部が埋設された本体部と、第２方向における本体部の一端部から第１方向に延びる第１延在部と、第２方向における本体部の他端部から第１方向と反対方向に延びる第２延在部と、を含み、第１隔壁は、本体部に対向するように第２方向に延在し埋設部が埋設された対向部と、第２方向における対向部の一端部から本体部に接続されるように第１方向に延びる第１接続部と、を含み、第２方向における対向部の他端部は、第１延在部及び第２延在部のうちの一方に接続される。このような構成によっても、一つの種類の第２隔壁によって電槽を形成可能である。したがって、電池モジュールの部品点数を削減することが可能である。
【発明の効果】
【００１０】
本発明によれば、部品点数の削減が可能な電池モジュールが提供される。
【図面の簡単な説明】
【００１１】
【図１】一実施形態に係る電池モジュールを概略的に示す断面図である。
【図２】（ａ）は図１に示された積層体を構成する正極を概略的に示す図であり、（ｂ）は負極を概略的に示す図である。
【図３】図１に示された第２隔壁の一例を示す図である。
【図４】（ａ）は図１に示された第２隔壁を概略的に示す図であり、（ｂ）は（ａ）に示された第２隔壁が１８０°回転された状態を概略的に示す図である。
【図５】（ａ）は図１に示された第１隔壁を概略的に示す図であり、（ｂ）は（ａ）に示された第１隔壁が１８０°回転された状態を概略的に示す図である。
【図６】図４に示された第１隔壁及び図５に示された第２隔壁を組み合わせた状態を概略的に示す図である。
【図７】変形例に係る電池モジュールの配列体を概略的に示す図である。
【発明を実施するための形態】
【００１２】
以下、図面を参照して電池モジュールの一実施形態について詳細に説明する。なお、各図面において同一又は相当の部分に対しては同一の符号を付し、図面の説明において重複する説明を省略する場合がある。また、以下の図面には、Ｘ軸、Ｙ軸、及びＺ軸からなる直交座標系を示す場合がある。
【００１３】
図１は、本実施形態にかかる電池モジュールを概略的に示す断面図である。電池モジュール１は、例えば、自動車などの車両のバッテリーとして用いられるニッケル水素充電池をモジュール化したものである。図１に示されるように、電池モジュール１は、複数の電槽Ｓを有する配列体１０と、電槽Ｓのそれぞれの中に配置された複数の積層体２０と、積層体２０と電気的に接続された複数の集電板３０と、を備えている。配列体１０は第１方向（ここではＸ軸方向）に沿って配列されて電槽Ｓを形成する複数の隔壁１１を有している。
【００１４】
配列体１０は、例えば樹脂によって形成されている。配列体１０を構成する樹脂材料としては、例えば、ポリプロピレン（ＰＰ）、ポリフェニレンサルファイド（ＰＰＳ）、又は変性ポリフェニレンエーテル（変性ＰＰＥ）などが挙げられる。配列体１０を構成する隔壁１１同士は、例えば、溶着によって接合されており、隣り合う２つの隔壁１１（第１隔壁１３又は第２隔壁１４）によって一つの電槽Ｓが形成されている。溶着としては、例えば、熱可塑性樹脂による超音波溶着、熱溶着フィルムを用いた溶着などが用いられる。
【００１５】
図２（ａ）は図１に示された積層体を構成する正極を概略的に示す図であり、図２（ｂ）は負極を概略的に示す図である。図２に示されるように、積層体２０は、正極２１と、負極２２と、正極２１と負極２２との間に配置されたセパレータ（不図示）を有している。正極２１は、例えば、ニッケルからなる長方形状の金属箔２１ａと、金属箔２１ａの一面側に形成された正極活物質層２１ｂと、第１方向に交差する第２方向（ここではＹ軸方向）における一方側に設けられた正極タブ（電極タブ）２１ｃと、を有している。正極活物質層２１ｂを構成する正極活物質としては、例えば、水酸化ニッケルが挙げられる。なお、正極活物質層２１ｂは、金属箔２１ａの両面に形成されていてもよい。正極タブ２１ｃは、金属箔２１ａから第１方向及び第２方向に交差する第３方向（ここではＺ軸方向）へ延びる長方形状の部分であり、正極活物質層２１ｂが塗工されていない未塗工領域である。
【００１６】
負極２２は、例えばニッケルからなる長方形状の金属箔２２ａと、金属箔２２ａの一面側に形成された負極活物質層２２ｂと、第２方向における他方側に設けられた負極タブ（電極タブ）２２ｃと、を有している。負極活物質層２２ｂを構成する負極活物質としては、例えば、水素吸蔵合金が挙げられる。負極タブ２２ｃは、金属箔２２ａから第３方向へ延びる長方形状の部分であり、負極活物質が塗工されていない未塗工領域である。
【００１７】
セパレータは、例えば袋状に形成されている。セパレータの形成材料としては、ポリエステル（ＰＥ）、ポリプロピレン（ＰＰ）などのポリオレフィン系樹脂からなる多孔質フィルム、ポリエチレンテレフタレート（ＰＥＴ）、メチルセルロースなどからなる不織布又は不織布等が例示される。なお、セパレータの形状は袋状に限定されず、シート状のものを用いてもよい。
【００１８】
本実施形態では、正極タブ２１ｃが露出するように袋状のセパレータに正極２１が内包され、この正極２１を内包したセパレータ付き正極と負極２２とを交互に積層することによって積層体２０が形成されている。正極２１及び負極２２を積層する際には、第２方向における正極タブ２１ｃ及び負極タブ２２ｃの位置が互い違いになるように積層される。これにより、積層体２０では、複数の正極タブ２１ｃが積層されて形成された正極タブ群２３、及び、複数の負極タブ２２ｃが積層されて形成された負極タブ群２４が第２方向に互いに離間して配置された状態となる。
【００１９】
積層体２０は、正極タブ群２３が隔壁１１の第２方向における一方側に位置し、負極タブ群２４が隔壁１１の第２方向における他方側に位置するように、電槽Ｓ内に配置されている。このとき、それぞれの積層体２０は、互いに隣り合う積層体２０間において正極タブ群２３及び負極タブ群２４の位置が第２方向において互い違いになるように配置される。
【００２０】
集電板３０は、例えば金属によって形成されている。集電板３０は、正極２１及び負極２２の少なくとも一方に電気的に接続されている。集電板３０は、部分的に隔壁１１に埋設されている。集電板３０は、例えば、インサート成形によって隔壁１１に埋設される。集電板３０は、隔壁１１に埋設された埋設部３１と、隔壁１１から突出する突出部３２と、を有している。
【００２１】
引き続いて、配列体１０についてより具体的に説明する。図１に示されるように、隔壁１１は、第１方向における配列体１０の両端部を構成する一対の第１隔壁１３と、第１隔壁１３の間に配置された複数の第２隔壁１４と、を含む。図３は、図１に示された第２隔壁の一例を示す図である。図４（ａ）は、図１に示された第２隔壁を概略的に示す図であり、図４（ｂ）は（ａ）に示された第２隔壁が１８０°回転された状態を概略的に示す図である。図４は、第１方向及び第２方向を含む平面に沿った断面図である（ハッチングは省略）。
【００２２】
図１，３，４に示されるように、第２隔壁１４は、第１方向からみて、第３方向よりも第２方向に相対的に長い長方形状を呈している。第２隔壁１４は、第２方向及び第３方向に沿って延在する本体部１４ａと、本体部１４ａに設けられた一対の延在部（第１延在部、第２延在部）１４ｂと、本体部１４ａに設けられた別の一対の延在部１４ｃと、を含む。本体部１４ａは、第３方向よりも第２方向に相対的に長い長方形板状を呈している。
【００２３】
一対の延在部１４ｂのうちの一方は、第２方向における本体部１４ａの一端部から第１方向の両側に延在している。また、一対の延在部１４ｂのうちの他方は、第２方向における本体部１４ａの他端部から第１方向の両側に延在している。これにより、第１方向及び第２方向を含む面に沿った第２隔壁１４の断面形状は、Ｉ字状である。
【００２４】
一対の延在部１４ｃのうちの一方は、第３方向における本体部１４ａの一端部から第１方向の両側に延在している。また、一対の延在部１４ｃのうちの他方は、第３方向における本体部１４ａの他端部から第１方向の両側に延在している。これにより、第１方向及び第３方向を含む面に沿った第２隔壁１４の断面形状も、Ｉ字状である。このように、第２隔壁１４にあっては、第１方向の両側において、本体部１４ａ、延在部１４ｂ、及び、延在部１４ｃによって直方体状の空間が形成される。
【００２５】
本体部１４ａには、集電板３０が埋設されている。より具体的には、第２方向における本体部１４ａの一方側には、集電板３０の埋設部３１が埋設されている。集電板３０の突出部３２は、本体部１４ａにおける第２方向の中心点Ｃよりも一方側において本体部１４ａから突出している。本体部１４ａには、本体部１４ａの第１方向に交差する一対の面のそれぞれに開口する一対の窓部１４ｈが形成されている。埋設部３１の一部は、窓部１４ｈを介して、互いに隣り合う２つの電槽Ｓ内に向けて露出している。集電板３０は、この窓部１４ｈを介して露出する部分において、正極タブ群２３及び負極タブ群２４に接合されている。これにより、第２隔壁１４に埋設された集電板３０は、互いに隣り合う一対の積層体２０のうちの一方の正極２１及び他方の負極２２に電気的に接続される。
【００２６】
ここで、第２隔壁１４の形状は、少なくとも第３方向から見て（第１方向及び第２方向を含む面に沿った断面において）、第２隔壁１４の第２方向の中心点Ｃに対する点対称である。したがって、図４（ａ），（ｂ）に示されるように、第２隔壁１４を中心点Ｃを基準として１８０°回転させた場合には、第２隔壁１４の外形が変化せず、突出部３２の位置が第２方向の一方側から他方側に変化するのみである。
【００２７】
図５（ａ）は図１に示された第１隔壁を概略的に示す図であり、図５（ｂ）は（ａ）に示された第１隔壁が１８０°回転された状態を概略的に示す図である。図１，５に示される第１隔壁１３は、第１方向からみて、第３方向よりも第２方向に相対的に長い長方形状を呈している。第１隔壁１３は、第２方向及び第３方向に沿って延在する対向部１３ａと、対向部１３ａに設けられた一対の接続部（第１接続部、第２接続部）１３ｂと、対向部１３ａに設けられた別の一対の接続部１３ｃと、を含む。
【００２８】
対向部１３ａは、第３方向よりも第２方向に相対的に長い長方形板状を呈している。対向部１３ａは、第２隔壁１４の本体部１４ａに対向する。接続部１３ｂ，１３ｃは、後述するように、第２隔壁１４の延在部１４ｂ，１４ｃに接続される。一対の接続部１３ｂのうちの一方は、第２方向における対向部１３ａの一端部から第１方向に延在している。また、一対の接続部１３ｂのうちの他方は、第２方向における本体部１４ａの他端部から第１方向に延在している。これにより、第１方向及び第２方向を含む面に沿った第１隔壁１３の断面形状は、Ｕ字状である。
【００２９】
一対の接続部１３ｃのうちの一方は、第３方向における対向部１３ａの一端部から第１方向に延在している。また、一対の接続部１３ｃのうちの他方は、第３方向における対向部１３ａの他端部から第１方向に延在している。これにより、第１方向及び第３方向を含む面に沿った第１隔壁１３の断面形状も、Ｕ字状である。このように、第１隔壁１３にあっては、第１方向の一方側において、対向部１３ａ、接続部１３ｂ、及び、接続部１３ｃによって直方体状の空間が形成される。
【００３０】
対向部１３ａには、集電板３０が埋設されている。より具体的には、第２方向における対向部１３ａの一方側には、集電板３０の埋設部３１が埋設されている。集電板３０の突出部３２は、対向部１３ａにおける第２方向の中心点Ｃよりも一方側において対向部１３ａから突出している。対向部１３ａには、単一の窓部１３ｈが形成されている。埋設部３１の一部は、窓部１３ｈを介して、電槽Ｓ内に向けて露出している。集電板３０は、この窓部１３ｈを介して露出する部分において、正極タブ群２３又は負極タブ群２４に接合されている。これにより、第１隔壁１３に埋設された集電板３０は、正極２１又は負極２２に電気的に接続される。以上の電気的な接続関係によって、積層体２０が直列接続される。なお、突出部３２は、各積層体２０間における電気的な接続に用いることができる。
【００３１】
図５（ａ），（ｂ）に示されるように、第１隔壁１３を１８０°回転させた場合、対向部１３ａに対する接続部１３ｂ，１３ｃの延びる方向が逆向きになると共に、突出部３２の位置が第２方向の一方側から他方側に変化する。つまり、第１隔壁１３を１８０°回転させると、回転前の姿勢を反転した姿勢となる。これにより、第１隔壁１３は、第２隔壁１４に対して相補的に組み合わせ可能となっている。
【００３２】
以上のような隔壁１１は、図６に示されるように組み合わせられる。図６は、図４に示された第１隔壁及び図５に示された第２隔壁を組み合わせた状態を示す図である。図６に示されるように、第２隔壁１４は、第２方向における突出部３２の位置が互い違いになるように配列されている。すなわち、配列体１０では、ある姿勢の第２隔壁１４と、その姿勢から１８０°回転された姿勢の第２隔壁１４と、が交互に配列されている。互いに隣り合う第２隔壁１４間においては、延在部１４ｂ同士が互いに接続されると共に、延在部１４ｃ同士が互いに接続される。より具体的には、一方の第２隔壁１４の第１延在部（延在部１４ｂ）は他方の第２隔壁１４の第２延在部（延在部１４ｂ）に接続され、一方の第２隔壁１４の第２延在部（延在部１４ｂ）は他方の第２隔壁１４の第１延在部（延在部１４ｂ）に接続される。これにより、一対の第２隔壁１４によって単一の電槽Ｓが形成される。
【００３３】
第１隔壁１３は、第１隔壁１３の突出部３２の位置が、その第１隔壁１３に隣り合う第２隔壁１４の突出部３２の位置と第２方向において反対側となるように、配列体１０の第１方向における両端部に配置されている。第１隔壁１３の接続部１３ｂは、第２隔壁１４の延在部１２ｂに接続され、接続部１３ｃは延在部１４ｃに接続される。これにより、１つの第１隔壁１３と１つの第２隔壁１４とによって単一の電槽Ｓが形成される。すなわち、以上のように第１隔壁１３及び第２隔壁１４が配列されることにより、複数の電槽Ｓが形成されている。
【００３４】
以上説明したように、電池モジュール１では、第１隔壁１３と第２隔壁１４とを含む隔壁１１を配列することによって、積層体２０が配置される電槽Ｓが形成される。第１隔壁１３及び第２隔壁１４には、その配列方向（第１方向）に交差する第２方向の一方側において突出するように、集電板３０が埋設されている。そして、第２隔壁１４は、電極タブ（正極タブ２１ｃ又は負極タブ２２ｃ）の位置に対応するように、第２方向における集電板３０の突出部３２の位置が互い違いになるように配列されている。
【００３５】
一方、第１方向及び第２方向に交差する第３方向から見た第２隔壁１４の形状は、第２方向における中心点Ｃに対する点対称である。これにより、中心点Ｃを軸として第２隔壁１４を１８０°回転させた場合、第３方向から見た第２隔壁１４の外形は変化せず、突出部３２の位置のみが第２方向の中心点Ｃよりも一方側から他方側へ移動した状態となる。したがって、上記のように集電板３０の突出部３２の位置を互い違いにするに際して、当該中心点Ｃを基準に第２隔壁１４を１８０°回転させながら配列すれば、１つの種類の第２隔壁１４によって、電槽Ｓを形成可能である。したがって、電池モジュール１の部品点数を削減することが可能である。
【００３６】
より具体的には、第２隔壁１４は、第２方向に沿って延在し埋設部３１が埋設された本体部１４ａと、第２方向における本体部１４ａの一端部から第１方向の両側に延びる第１延在部（延在部１４ｂ）と、第２方向における本体部１４ａの他端部から第１方向の両側に延びる第２延在部（延在部１４ｂ）と、を含む。第１隔壁１３は、本体部１４ａに対向するように第２方向に延在し埋設部３１が埋設された対向部１３ａと、第２方向における対向部１３ａの一端部から第１延在部（延在部１４ｂ）及び第２延在部（延在部１４ｂ）の一方に接続されるように第１方向に延びる第１接続部（接続部１３ｂ）と、第２方向における対向部１３ａの他端部から延在部第１延在部（延在部１４ｂ）及び第２延在部（延在部１４ｂ）の他方に接続されるように第１方向に延びる第２接続部（接続部１３ｂ）と、を含む。このような構成によっても、一つの種類の第２隔壁１４によって電槽Ｓを形成可能である。したがって、電池モジュール１の部品種類を削減することが可能である。
【００３７】
以上の実施形態は、本発明に係る電池モジュールの一実施形態を説明したものである。したがって、本発明に係る電池モジュールは、上述した電池モジュール１に限定されない。本発明に係る電池モジュールは、各請求項の要旨を変更しない範囲において、上述した電池モジュール１を任意に変形したものとすることができる。
【００３８】
図７を参照して、電池モジュール１の変形例について説明する。図７は、変形例に係る電池モジュールの配列体５０を概略的に示す断面図である。図７に示されるように、本変形例に係る配列体５０では、第１隔壁及び第２隔壁の形状が配列体１０と相違している。
【００３９】
第２隔壁５４は、第２方向に沿って延在し埋設部３１が埋設された本体部５４ａと、本体部５４ａに設けられた一対の延在部（第１延在部、第２延在部）５４ｂと、本体部５４ａに設けられた別の一対の延在部５４ｃ（一方のみ図示）と、を含む。延在部５４ｂのうちの一方は、第２方向における本体部５４ａの一端部から第１方向に延びる。延在部５４ｂのうちの他方は、第２方向における本体部５４ａの他端部から第１方向と反対方向に延びる。
【００４０】
延在部５４ｃの一方は、第３方向における本体部５４ａの一端部から第１方向の両側に延びる。延在部５４ｃのうちの他方は、第３方向における本体部５４ａの他端部から第１方向の両側に延びる。延在部５４ｃは、第３方向からみて、本体部５４ａにおける延在部５４ｂが設けられた端部から他方の端部に向けて縮小する三角形状を呈している。これにより、第２隔壁５４の形状が、第３方向からみて、中心点Ｃに対する点対称となる。これにより、中心点Ｃを基準として第２隔壁５４を１８０°回転させた場合、第３方向から見た第２隔壁５４の外形は変化せず、突出部３２の位置のみが第２方向の中心点Ｃよりも一方側から他方側へ移動した状態となる。
【００４１】
第１隔壁５３Ａは、本体部５４ａに対向するように第２方向に延在し埋設部３１が埋設された対向部５３ａと、対向部５３ａに設けられた接続部（第１接続部）５３ｂと、対向部５３ａに設けられた一対の別の接続部５３ｃ（一方のみ図示）と、を含む。接続部５３ｂは、第２方向における対向部５３ａの一端部から本体部５４ａに接続されるように第１方向に延びる。第２方向における対向部５３ａの他端部は、延在部５４ｂに接続される。接続部５３ｃは、第３方向からみて、対向部５３ａにおける接続部５３ｂが設けられた端部から他方の端部に向けて縮小する三角形状を呈している。これにより、第１隔壁５３は、第２隔壁５４に対して相補的に組み合わせ可能となっている。
【００４２】
以上の第１隔壁５３及び第２隔壁５４は、次のように組み合わせられ、配列体５０を構成する。すなわち、第２隔壁５４は、第２方向における突出部３２の位置が互い違いになるように配列されている。すなわち、配列体５０では、ある姿勢の第２隔壁５４と、その姿勢から１８０°回転された姿勢の第２隔壁５４と、が交互に配列されている。互いに隣り合う第２隔壁５４間においては、一方の第２隔壁５４の延在部５４ｂが他方の第２隔壁５４の本体部５４ａに接続されると共に、延在部５４ｃ同士が互いに接続される。これにより、一対の第２隔壁５４によって単一の電槽Ｓが形成される。
【００４３】
第１隔壁５３は、第１隔壁５３の突出部３２の位置が、その第１隔壁５３に隣り合う第２隔壁５４の突出部３２の位置と第２方向において反対側となるように、配列体５０の第１方向における両端部に配置されている。第１隔壁５３の接続部５３ｂは、第２隔壁５４の本体部５４ａに接続され、接続部５３ｃは延在部５４ｃに接続される。これにより、１つの第１隔壁５３と１つの第２隔壁５４とによって単一の電槽Ｓが形成される。すなわち、以上のように第１隔壁５３及び第２隔壁５４が配列されることにより、複数の電槽Ｓが形成されている。
【００４４】
このように、第２隔壁５４の形状も、第３方向からみて（第１方向及び第２方向を含む面に沿った断面において）、第２方向における中心点Ｃに対する点対称である。このため、一つの種類の第２隔壁５４によって電槽Ｓを形成可能である。したがって、電池モジュール１の部品点数を削減することが可能である。
【００４５】
なお、第２隔壁の形状は、第３方向からみて、第２方向における中心点Ｃに対する点対称であればよく、上記の第２隔壁１４，５４と異なる形状を有していてもよい。
【００４６】
また、上記の実施形態では、正極タブ群２３及び負極タブ群２４は、隔壁１１の窓部（窓部１３ｈ又は窓部１４ｈ）から露出した集電板３０と直接接合されているが、正極タブ群２３及び負極タブ群２４は、導電性部材を介して集電板３０と電気的に接続されてもよい。
【００４７】
また、電池モジュール１はニッケル水素充電池に限定されず、例えば、リチウムイオン二次電池であってもよい。
【符号の説明】
【００４８】
１…電池モジュール、１０，５０…配列体、１１…隔壁、１３…第１隔壁、１４…第２隔壁、１３ａ…対向部、１３ｂ…接続部（第１接続部、第２接続部）、１４ａ…本体部、１４ｂ…延在部（第１延在部、第２延在部）、２０…積層体、２１…正極、２１ｃ…正極タブ（電極タブ）、２２…負極、２２ｃ…負極タブ（電極タブ）、３０…集電板、３１…埋設部、３２…突出部、Ｓ…電槽。
【図１】
2018018773.tif 000003
【図２】
2018018773.tif 000004
【図３】
2018018773.tif 000005
【図４】
2018018773.tif 000006
【図５】
2018018773.tif 000007
【図６】
2018018773.tif 000008
【図７】
2018018773.tif 000009